(57)【要約】【課題】  災害時に使用する即ち断水、停電等の非常事態下において有効である組立式箱型便所を提供する。【解決手段】  箱型外壁４と、前記外壁に設けた出入口の戸１８と、内部に水平且つ所定間隔離れて互いに平行に設けた足置板６ａ、６ｂと、前記足置板の下部空間を水平方向に二分割して設けた足置板に直交する分離板８と、二分割した下部空間１０ａ及び１０ｂにそれぞれ嵌入された前部槽１２ａ及び後部槽１２ｂとを有する組立式箱型便所２とする。箱型外壁４が、組立式木材で形成されてなることが好ましい。木材が孔径１〜５ｍｍの孔が穿設された多孔板であって、燻してあることが好ましい。出入口の戸１８が上下に移動する引き下ろし戸であることが好ましい。【選択図】  図１
0003127474.tif 000002
【実用新案登録請求の範囲】
【請求項１】
災害時に使用する組立式箱型便所であって、箱型外壁と、前記外壁に設けた出入口の戸と、内部に水平且つ所定間隔離れて互いに平行に設けた足置板と、前記足置板の下部空間を水平方向に二分割して設けた足置板に直交する分離板と、二分割した下部空間に嵌入された前部槽及び後部槽とを有する組立式箱型便所。
【請求項２】
箱型外壁が組立式木材で形成されてなる請求項１に記載の組立式箱型便所。
【請求項３】
木材が孔径１〜５ｍｍの孔が穿設された多孔板であって、燻してある請求項２に記載の組立式箱型便所。
【請求項４】
出入口の戸が上下に移動する引き下ろし戸である請求項１に記載の組立式箱型便所。
【考案の詳細な説明】
【技術分野】
【０００１】
本考案は、震災等非常事態下において用便に使用するための組立式箱型便所に関する。
【背景技術】
【０００２】
従来より、平常時の野外、例えば工事現場、工場、屋内・屋外のイベント会場等には組立式箱型便所などの仮設便所が設置されている(例えば、特許文献１参照)。
【０００３】
これらの仮設便所は水洗を前提としている。しかし、災害時、即ち震災等の発生時、発生直後の非常事態下においては断水、停電等になるため、排泄物特に大便は便槽に流出せずに便器に積上げられる。従って、上記仮設便所は非常事態下においては、その使用に問題が多い。
【０００４】
災害時において用便に使用するための仮設便所として、下水道のマンホールの蓋を改造したものが提案されている(例えば、特許文献２参照)。しかし、マンホール蓋改造の仮設便所では、排泄物は回収、除去されることなく、垂流しである。しかも、断水、停電等の非常事態下では、下水道も停止するか又は流れが悪くなるので、排泄物は災害現場に溜まって汚染は進む一方である。
【特許文献１】特開２００２−２４２４６５公報  （特許請求の範囲、段落番号［０００２］、［０００５］）
【特許文献２】特開平１１−３０３１１３号公報  （特許請求の範囲、段落番号［００１８］）
【考案の開示】
【考案が解決しようとする課題】
【０００５】
本考案者は、上記問題を解決するために種々検討しているうちに、排泄物処理は、小便と大便とを別々に回収、除去処理することが、断水、停電等の非常事態下において有効であることを見出した。この分別処理は、組立式箱型便所の内部に水平、平行に足置板を設け、この足置板の下部に、足置板に直交する分離板で二分割した空間を形成し、この二分割した空間に前部槽及び後部槽を嵌入することにより、簡便に実施できることを知得し、本考案を完成するに到った。
【０００６】
従って、本考案の目的とするところは、上述した問題点を解決した組立式箱型便所を提供することにある。
【課題を解決するための手段】
【０００７】
上記目的を達成する本考案は、以下に記載するものである。
【０００８】
〔１〕  災害時に使用する組立式箱型便所であって、箱型外壁と、前記外壁に設けた出入口の戸と、内部に水平且つ所定間隔離れて互いに平行に設けた足置板と、前記足置板の下部空間を水平方向に二分割して設けた足置板に直交する分離板と、二分割した下部空間に嵌入された前部槽及び後部槽とを有する組立式箱型便所。
【０００９】
〔２〕  箱型外壁が組立式木材で形成されてなる〔１〕に記載の組立式箱型便所。
【００１０】
〔３〕  木材が孔径１〜５ｍｍの孔が穿設された多孔板であって、燻してある〔２〕に記載の組立式箱型便所。
【００１１】
〔４〕  出入口の戸が上下に移動する引き下ろし戸である〔１〕に記載の組立式箱型便所。
【考案の効果】
【００１２】
本考案の組立式箱型便所は、災害時に備えて、普段は分解して小容積で収納しておき、災害時に使用するものである。本考案の組立式箱型便所は組立式にできるので、平常時の収納場所は小面積で良い。
【００１３】
本考案の組立式箱型便所は、その内部に水平、平行に足置板を設け、この足置板の下部に、足置板に直交する分離板で二分割した空間を形成し、この二分割した空間に前部槽及び後部槽を嵌入しているので、前部槽、後部槽に小便、大便を別々に回収できる。回収した大小便は分別されているので、その処理は、混合したものと比較して格別に容易になる。そのため、本考案の組立式箱型便所は、断水、停電等の非常事態下において有効である。
【００１４】
本考案の組立式箱型便所は、災害時の水道や電力の供給が止まる数日間の短い期間に使用すると有効である。
【考案を実施するための最良の形態】
【００１５】
以下、図面を参照して本考案を詳細に説明する。図１は、本考案組立式箱型便所の内部の一例を示す概略図である。(Ａ)は、その正面図である。(Ｂ)は、断面部分が(Ａ)におけるＰ〜Ｐ断面に相当する断面部分である側面断面図である。(Ｃ)は、断面部分が(Ａ)におけるＱ〜Ｑ断面に相当する断面部分である平面断面図である。(Ｄ)は、断面部分が(Ｂ)におけるＲ〜Ｒ断面に相当する断面部分である正面断面図である。
【００１６】
本例に示されている組立式箱型便所２は、箱型の外壁４を有し、その内部に所定間隔離れて水平且つ互いに平行に足置板６ａ、６ｂが設けてある。この足置板６ａ、６ｂの下方に、足置板に直交する分離板８で水平方向に二分割した前部空間１０ａ、後部空間１０ｂが形成してある。二分割した空間１０ａ及び１０ｂには、それぞれ前部槽１２ａ及び後部槽１２ｂが嵌入してある。
【００１７】
なお、本例においては前部空間１０ａには前部支持板１４ａが設けてある。この前部支持板１４ａと上記分離板８との間に前部槽１２ａが嵌入してある。同様に、後部空間１０ｂには後部支持板１４ｂが設けてある。この後部支持板１４ｂと上記分離板８との間に後部槽１２ｂが嵌入してある。上記足置板６ａ、６ｂは、前部支持板１４ａと分離板８と後部支持板１４ｂとで支持されている。
【００１８】
本考案の組立式箱型便所は、災害時において使用するものであって、平常時には倉庫等に長期間保管されているものである。保管時は保管スペースをあまり取らないようにするため、箱型外壁４、屋根１６等の主部材を含め便所２を構成する部材は、組立式木材で形成されてなることが好ましい。
【００１９】
組立方式は、同様の建築物や構造物に利用されているものが利用できる。具体的には、ログハウスのように木材を互いに組合せ、組立てる方式が好ましい。
【００２０】
なお、保管中に腐ったり、劣化したりしないように、上記木材は孔径１〜５ｍｍの孔が穿設された多孔板であって、燻してあることが好ましい。また、上記木材としては、間抜材を用いることが資源有効利用の点から望ましい。
【００２１】
出入口の戸は、開き戸、引戸、引き下ろし戸など種々の様式のものを用いることができる。なお、大地震の直後は余震が頻発することが多い。このような場合、出入口の戸が開き戸や引戸などでは閉まらなくなったり、開かなくなったりすることがある。このような事態を避けるためには、出入口の戸が上下に移動する引き下ろし戸であることが好ましい。
【００２２】
図１の例は、出入口の戸１８として上下に移動する引き下ろし戸を用いている。２０ａ及び２０ｂは、出入口の戸１８の両端を保持すると共に摺動する溝構造体である。用便者は、出入口の戸１８をＸ方向に移動させ、即ち戸を開け組立式箱型便所２内に入る。
【００２３】
足置板６ａと足置板６ｂとの隙間は、便器２２を形成する。用便者は、便所２内に入った後、分離板８のほぼ真上の位置まで進み、足置板６ａに左足を、足置板６ｂに右足を載せて便器２２を跨ぐ。次いで、前部槽１２ａに小便を、後部槽１２ｂに大便を落とす。このようにして、小便及び大便は、それぞれ前部槽１２ａ及び後部槽１２ｂに分別貯留される。
【００２４】
前部槽１２ａ及び後部槽１２ｂに分別貯留された小便及び大便は、定期的に便槽取出し口から前部槽１２ａ及び後部槽１２ｂごと取り出され、別々に回収、除去処理される。便槽取出し口は戸板２４と戸袋２６とから構成される。戸板２４を戸袋２６内に引き上げることにより、便槽取出し口は開けられる。
【００２５】
小便及び大便の回収、除去処理を更に効率良くするには、前部槽１２ａ及び後部槽１２ｂにそれぞれビニール袋等の可撓性容器を取り付けておくことが好ましい。図２は可撓性容器が取り付けられた便槽の一例を示す概略図である。図２中、３２は前部槽又は後部槽の便槽であり、この便槽３２には可撓性容器３４が取り付けてある。
【００２６】
図３は、本考案組立式箱型便所の組立方法の一例を示す概略側面断面図である。図３において４２は組立時の箱型便所であり、土台４４の上に組立てられる。土台４４には、左側前部支柱４６ａ、左側後部支柱４６ｂ、右側前部支柱(不図示)、右側後部支柱(不図示)、前部支持板固定用左側支柱４８ａ、分離板固定用左側支柱４８ｂ、後部支持板固定用左側支柱４８ｃ、前部支持板固定用右側支柱(不図示)、分離板固定用右側支柱(不図示)、及び、後部支持板固定用右側支柱(不図示)が立てられる。
【００２７】
土台４４には予め、左側前部支柱下端突起差込み孔５０ａ、左側後部支柱下端突起差込み孔５０ｂ、右側前部支柱下端突起差込み孔(不図示)、右側後部支柱下端突起差込み孔(不図示)、前部支持板固定用左側支柱下端突起差込み孔５２ａ、分離板固定用左側支柱下端突起差込み孔５２ｂ、後部支持板固定用左側支柱下端突起差込み孔５２ｃ、前部支持板固定用右側支柱下端突起差込み孔(不図示)、分離板固定用右側支柱下端突起差込み孔(不図示)、及び、後部支持板固定用右側支柱下端突起差込み孔(不図示)が穿設されている。
【００２８】
差込み孔に下端突起を差込んで立てられた左側前部支柱４６ａ、左側後部支柱４６ｂの上端には、屋根支持用左側梁５４が架けられる。屋根支持用左側梁５４には予め、左側前部支柱上端突起差込み孔５６ａ、及び、左側後部支柱上端突起差込み孔５６ｂが穿設されている。同様にして、差込み孔に下端突起を差込んで立てられた右側前部支柱(不図示)、右側後部支柱(不図示)の上端には、屋根支持用右側梁(不図示)が架けられる。屋根支持用右側梁(不図示)には予め、右側前部支柱上端突起差込み孔(不図示)、及び、右側後部支柱上端突起差込み孔(不図示)が穿設されている。
【００２９】
屋根支持用左側梁５４と屋根支持用右側梁(不図示)とを渡して屋根５８が架けられる。
【００３０】
左側前部支柱４６ａと右側前部支柱(不図示)とを渡して前部外壁６０ａが貼付けられる。同様にして、左側後部支柱４６ｂと右側後部支柱(不図示)とを渡して後部外壁６０ｂが貼付けられる。左側前部支柱４６ａと左側後部支柱４６ｂとを渡して左側外壁(不図示)が貼付けられる。右側前部支柱(不図示)と右側後部支柱(不図示)とを渡して右側外壁(不図示)が貼付けられる。
【００３１】
差込み孔に下端突起を差込んで立てられた前部支持板固定用左側支柱４８ａと、分離板固定用右側支柱(不図示)との間には、前部支持板(不図示)が固定される。同様にして、分離板固定用左側支柱４８ｂと、分離板固定用右側支柱(不図示)との間には、分離板(不図示)が固定される。後部支持板固定用左側支柱４８ｃと、後部支持板固定用右側支柱(不図示)との間には、後部支持板(不図示)が固定される。
【００３２】
前部支持板と分離板と後部支持板とで、左側足置板６２と右側足置板(不図示)とが支持される。
【００３３】
左側足置板及び右側足置板の下方において、前部支持板と分離板との間には前部空間６４ａが形成される。この前部空間６４ａには、前部槽６６ａが嵌入される。同様に、左側足置板及び右側足置板の下方において、分離板と後部支持板との間には後部空間６４ｂが形成される。この後部空間６４ｂには、後部槽６６ｂが嵌入される。
【実施例】
【００３４】
本考案について、実施例を挙げて更に詳しく説明する。
【００３５】
［実施例１］
図１に示す組立式箱型便所を形成した。この便所において、屋根は片側傾斜の屋根であり、屋根材には、間抜材に孔径２ｍｍの孔を穿設し、燻して得た、直径８ｃｍ×長さ１．５ｍの乾燥丸木材を使用した。この屋根材は、上記乾燥丸木材をそれぞれ長さ方向を平行に１４本並べた後、寸法を調節して面積１．７ｍ2の板にしたものを使用した。
【００３６】
箱型の外壁材には、間抜材を長さ方向に軸に沿って縦割にした後、孔径２ｍｍの孔を穿設し、燻して得た、直径８ｃｍ×長さ２．９ｍの乾燥半丸木材を使用した。両側面の外壁材は各片面について、上記乾燥半丸木材をそれぞれ長さ方向を平行に１５本並べた後、寸法を調節して上底２．２ｍ／下底２．９ｍ／高さ１．２ｍ／面積３．１ｍ2の台形の板にしたものを使用した。後部の外壁材は、上記乾燥半丸木材をそれぞれ長さ方向を平行に１１本並べた後、寸法を調節して横０．９ｍ／縦２．２ｍ／面積２．０ｍ2の板にしたものを使用した。前部の外壁材は、上記乾燥半丸木材をそれぞれ長さ方向を平行に並べると共に寸法を調節して面積１．９ｍ2の板にしたものを使用した。
【００３７】
出入口の戸は、上記乾燥半丸木材を並べた後、寸法を調節して横０．６ｍ／縦１．２５ｍの板にしたものを使用した。
【００３８】
前部槽及び後部槽にそれぞれ取り付けて箱型形状にしたビニール袋の大きさは、０．２５ｍ×０．３５ｍ×高さ０．３５ｍであった。
【００３９】
上記組立式箱型便所によれば、水、電気を使用しなくても、前部槽、後部槽に大便、小便を別々に回収、除去処理することができた。
【図面の簡単な説明】
【００４０】
【図１】本考案組立式箱型便所の内部の一例を示す概略図である。(Ａ)は、その正面図である。(Ｂ)は、断面部分が(Ａ)におけるＰ〜Ｐ断面に相当する断面部分である側面断面図である。(Ｃ)は、断面部分が(Ａ)におけるＱ〜Ｑ断面に相当する断面部分である平面断面図である。(Ｄ)は、断面部分が(Ｂ)におけるＲ〜Ｒ断面に相当する断面部分である正面断面図である。
【図２】可撓性容器が取り付けられた便槽の一例を示す概略図である。
【図３】本考案組立式箱型便所の組立方法の一例を示す概略側面断面図である。
【符号の説明】
【００４１】
２    組立式箱型便所
４    箱型外壁
６ａ、６ｂ    足置板
８    分離板
１０ａ、１０ｂ    足置板下方における分離板により二分割された空間
１２ａ    前部槽
１２ｂ    後部槽
１４ａ    前部支持板
１４ｂ    後部支持板
１６    屋根
１８    出入口の戸
２０ａ、２０ｂ    出入口の戸の両端を保持すると共に摺動する溝構造体
２２    便器
２４    便槽取出し口の戸板
２６    便槽取出し口の戸袋
３２    便槽
３４    可撓性容器
４２    組立時の箱型便所
４４    土台
４６ａ    左側前部支柱
４６ｂ    左側後部支柱
４８ａ    前部支持板固定用左側支柱
４８ｂ    分離板固定用左側支柱
４８ｃ    後部支持板固定用左側支柱
５０ａ    左側前部支柱下端突起差込み孔
５０ｂ    左側後部支柱下端突起差込み孔
５２ａ    前部支持板固定用左側支柱下端突起差込み孔
５２ｂ    分離板固定用左側支柱下端突起差込み孔
５２ｃ    後部支持板固定用左側支柱下端突起差込み孔
５４    屋根支持用左側梁
５６ａ    左側前部支柱上端突起差込み孔
５６ｂ    左側後部支柱上端突起差込み孔
５８    屋根
６０ａ    前部外壁
６０ｂ    後部外壁
６２    左側足置板
６４ａ    前部空間
６４ｂ    後部空間
６６ａ    前部槽
６６ｂ    後部槽
【図１】
0003127474.tif 000003
【図２】
0003127474.tif 000004
【図３】
0003127474.tif 000005
【手続補正書】
【提出日】平成18年9月29日(2006.9.29)
【手続補正１】
【補正対象書類名】実用新案登録請求の範囲
【補正対象項目名】全文
【補正方法】変更
【補正の内容】
【実用新案登録請求の範囲】
【請求項１】
災害時に使用する組立式箱型便所であって、箱型外壁と、前記外壁に設けた出入口の戸と、内部に水平且つ所定間隔離れて互いに平行に設けた足置板と、前記足置板の下部空間を水平方向に二分割して設けた足置板に直交する分離板と、二分割した下部空間に嵌入された前部槽及び後部槽とを有する組立式箱型便所。
【請求項２】
箱型外壁が組立式木材で形成されてなる請求項１に記載の組立式箱型便所。
【請求項３】
組立式木材が孔径１〜５ｍｍの孔が穿設された多孔板であって、燻してある請求項２に記載の組立式箱型便所。
【請求項４】
出入口の戸が上下に移動する引き下ろし戸である請求項１に記載の組立式箱型便所。